(57)【要約】【課題】立体的で斬新な様々な演出をすることができる遊技機を提供し、遊技の魅力を増大させる。【解決手段】大型電子ディスプレイ３に図柄が変動表示された後、変動停止して大当たり図柄が表示されると遊技者に特典がもたらされる遊技機において、電動アクチュエータ３３を作動させることにより大型電子ディスプレイ３の前面に出没可能なる装飾可動体１０を設け、該装飾可動体に小型電子ディスプレイ１１を設けることで該小型電子ディスプレイが大型電子ディスプレイの前面に進出し得るようにするとともに、大当たり図柄の一部が該小型電子ディスプレイに表示されるようにした。【選択図】図３
2009261813.tif 000002
【特許請求の範囲】
【請求項１】
大型電子ディスプレイに図柄が変動表示された後、変動停止して大当たり図柄が表示されると遊技者に特典がもたらされる遊技機において、電動アクチュエータを作動させることにより前記大型電子ディスプレイの前面に出没可能なる装飾可動体を設け、該装飾可動体に小型電子ディスプレイを設けることで該小型電子ディスプレイが前記大型電子ディスプレイの前面に進出し得るようにするとともに、前記大当たり図柄の一部が該小型電子ディスプレイに表示されるようにしたことを特徴とする遊技機。
【請求項２】
大型電子ディスプレイに図柄が３列にて変動表示された後、変動停止して各列の停止図柄が同一であると遊技者に特典がもたらされる遊技機において、電動アクチュエータを作動させることにより前記大型電子ディスプレイの前面に出没可能なる装飾可動体を設け、該装飾可動体に小型電子ディスプレイを設けることで該小型電子ディスプレイが前記大型電子ディスプレイの前面に進出し得るようにするとともに、前記停止図柄のうちの一つが該小型電子ディスプレイに表示されるようにしたことを特徴とする遊技機。
【発明の詳細な説明】
【技術分野】
【０００１】
本発明は、液晶表示装置等の電子ディスプレイを具備し、該電子ディスプレイに大当たり図柄が表示されると遊技者に特典がもたらされる遊技機に関するものである。
【背景技術】
【０００２】
第１種パチンコ遊技機は、周知のように、遊技盤の中央に液晶表示装置等の電子ディスプレイが設けられ、該電子ディスプレイの下方に設けられた始動入賞口に遊技球が入賞することにより、該電子ディスプレイに数字、記号、またはキャラクタ等の図柄が３列にて変動表示され、その変動が例えば「☆☆☆」または「７７７」のように同一図柄で停止し、いわゆる大当たり図柄が表示されると、大当たり、即ち、遊技者に有利な特別遊技状態となり、大入賞口が継続的に開くことから一時に多数の遊技球を入賞させることができるように構成されたものである。
【０００３】
一方、下記特許文献１には、電子ディスプレイの上部に電動式の装飾可動体を設け、該電子ディスプレイの表示と連動させて該装飾可動体を上下動させることにより、遊技の面白みが増す演出をする遊技機が示されている。
【特許文献１】特開２００７−７０５７号公報（第３−５頁、図１、図２、図４）
【発明の開示】
【発明が解決しようとする課題】
【０００４】
ところで、近時の遊技機では、リアリティーのある演出をする目的から上記電子ディスプレイは大型にする傾向にあるが、表示画面を大型化しただけでは、遊技機としての面白みが出ない。このため、遊技機において遊技者を惹きつけ得るような斬新な演出が必要となっている。
また、電子ディスプレイの前面に出没動する装飾可動体を設けた上記遊技機では、装飾可動体が進出していると電子ディスプレイの図柄表示を見ることの邪魔になるので、電子ディスプレイの図柄表示を装飾可動体が邪魔しない位置に小さく表示せざるを得なくなり、高齢者等の遊技者に遊技自体が分かり難くなるという問題がある。そのため従来では装飾可動体を進出させる時間をできるだけ短時間にすることで上記不具合が生じるのを避けていたが、そうすると面白い演出効果が得られないという問題がある。
本発明は、このような問題を生じさせることなく、大型電子ディスプレイを設けた遊技機における新たな演出を可能にし、その面白みを一段と増すことができるようにするものである。
【課題を解決するための手段】
【０００５】
そのために請求項１に記載した発明は、大型電子ディスプレイに図柄が変動表示された後、変動停止して大当たり図柄が表示されると遊技者に特典がもたらされる遊技機において、電動アクチュエータを作動させることにより前記大型電子ディスプレイの前面に出没可能なる装飾可動体を設け、該装飾可動体に小型電子ディスプレイを設けることで該小型電子ディスプレイが前記大型電子ディスプレイの前面に進出し得るようにするとともに、前記大当たり図柄の一部が該小型電子ディスプレイに表示されるようにしたことを特徴とする。
【０００６】
また、請求項２に記載した発明は、大型電子ディスプレイに図柄が３列にて変動表示された後、変動停止して各列の停止図柄が同一であると遊技者に特典がもたらされる遊技機において、電動アクチュエータを作動させることにより前記大型電子ディスプレイの前面に出没可能なる装飾可動体を設け、該装飾可動体に小型電子ディスプレイを設けることで該小型電子ディスプレイが前記大型電子ディスプレイの前面に進出し得るようにするとともに、前記停止図柄のうちの一つが該小型電子ディスプレイに表示されるようにしたことを特徴とする。
【発明の効果】
【０００７】
本発明によれば、大型電子ディスプレイの表示と、該大型電子ディスプレイの前面に進出する小型電子ディスプレイの表示との連繋により従来にない斬新な立体的な演出を可能にする。このためこの種の遊技の面白み、魅力が増し、集客力も増す。
【発明を実施するための最良の形態】
【０００８】
次に本発明に係る遊技機の実施形態をパチンコ遊技機について図面に従い説明する。図１は本発明に係るパチンコ遊技機の遊技盤の正面図で、該遊技盤１はパチンコ球発射装置（図示せず）から発射された遊技球を上部に導く外レール２ａが周囲に設けられ、該外レール２ａの内側で内レール２ｂよって囲まれた遊技領域の中央に液晶パネルからなる大型電子ディスプレイ３が固設される。４は該電子ディスプレイ３の下方部に配設された始動入賞口である。また、５は該始動入賞口のさらに下方部に配設され、後述するように大当り状態になったときにソレノイドが作動することで開放状態となり一度に多くの遊技球を入賞させることが可能となる大入賞口である。なお、始動入賞口４は一対の開閉翼片を有し、該開閉翼片がソレノイドの作動により起立して遊技球が入賞し難い状態と、外側に傾倒して開くことにより遊技球が入賞し易い状態とに変化するいわゆるチューリップ型のものである。また、６は遊技盤１面上遊技球が流下する経路の途中に遊技球が通過し得るように配設された通過チャッカーであり、該通過チャッカーに設けられたスイッチにより遊技球が電気的に検出されることにより、内部で「○×」の抽選が行われ、その結果が「○」になると、上記始動入賞口４の開閉翼片がソレノイドの作動で一回短時間だけ開くように構成されている。また、その他、遊技盤１面上には多数の遊技釘、および、漫画のキャラクタに因んだ種々の装飾体、普通入賞口、レール飾り等が設けられている。
【０００９】
１０は前記大型電子ディスプレイ３の上部に位置し、キャラクタの腕に見立てたアーム状に形成されている装飾可動体で、該装飾可動体１０の基部が遊技盤１の一側部に旋回自在に軸支され、該基部は減速歯車（図示せず）を介して後述する電動アクチュエータたる駆動モータに連繋され、該電動アクチュエータを作動させることにより該装飾可動体が該基部を中心としてゆっくり旋回し得るように構成される。そして、該装飾可動体１０の先端部にドットマトリックス表示装置からなる小型電子ディスプレイ１１が設けられ、図１に破断線で示したように、該装飾可動体１０がその旋回によって降下することで、該小型電子ディスプレイ１１が該大型電子ディスプレイ３の前面に進出し得る。
【００１０】
図２はこの遊技機を作動させる遊技制御基板のブロック図である。図中、２０はＣＰＵとＲＡＭ，ＲＯＭおよびＩ／Ｏとからなる主制御回路、２１は該主制御回路に接続され賞球の払出を制御する払出制御回路、２２は該主制御回路に接続されこの遊技機の演出効果を高めるために設けられた演出制御回路、２３は該演出制御回路に接続された画像制御回路、２４は該演出制御回路に接続された仕掛制御回路である。なお、これらの払出制御回路２１、演出制御回路２２、画像制御回路２３、および仕掛制御回路２４についても、主制御回路２０と同様に夫々ＣＰＵとＲＡＭ，ＲＯＭおよびＩ／Ｏからなる。
【００１１】
主制御回路２０には、前記始動入賞口４に入賞した遊技球を検出するスイッチ２５、その開閉翼片を開閉動させるソレノイド２６、前記通過チャッカー６を通過する遊技球を検出するスイッチ２７、前記大入賞口５に入賞した遊技球を検出するスイッチ２８、前記大入賞口５を開閉させるソレノイド２９、普通入賞口に入賞した遊技球を検出するスイッチ３０が夫々接続される。
また、払出制御回路２１には、該主制御回路２０からの指令により所定数の賞球を払い出すために必要な賞球払出装置を作動させるモータ３１等が接続される。また、画像制御回路２３に前記大型電子ディスプレイ３、小型電子ディスプレイ１１、および遊技者に対し効果音および遊技に必要な音声案内等を発声させるスピーカ３２が接続され、仕掛制御回路２４には、前記装飾可動体１０を作動させる電動アクチュエータたる駆動モータ３３が接続されているほか、遊技盤１および前面枠（図示せず）に設けられた各種装飾ランプ３４，３５が接続される。
【００１２】
このように構成したパチンコ遊技機では、スイッチ２７により通過チャッカー６を通過する遊技球が検出されると、前記したように主制御回路２０にて「○×」の抽選がなされ、その結果が「○」であるとソレノイド２６を作動させて始動入賞口４の開閉翼片が一回だけ短時間開かれ、該始動入賞口に遊技球が入賞し得るようになる。そして、始動入賞口４に入賞した遊技球がスイッチ２５により検出され、いわゆる始動条件が成立すると、大型電子ディスプレイ３に数字、記号等の図柄が３列にて変動表示された後、その変動が停止し、その停止図柄が例えば「２２２」、「☆☆☆」または「７７７」のように同一図柄に揃った状態であると、大当たりの特典として、ソレノイド２９が作動して大入賞口５が継続的に開かれ、該大入賞口５に一時に多くの遊技球を入賞させられるようになる。
【００１３】
なお、遊技球が始動入賞口４に入賞しスイッチ２５により検出されると、主制御回路２０は乱数を取得し、該乱数値により大当たりであるかハズレであるかを判定すると共に、該乱数値により種々の演出が選択され、主制御回路２０から演出制御回路２２にその演出を実行するべく指令が出され、指令を受けた演出制御回路２２はその指令に基いて画像制御回路２３を作動させ大型電子ディスプレイ３および小型電子ディスプレイ１１に所定の動画像を表示するとともに、仕掛制御回路２４が駆動モータ３３を作動させ装飾可動体１０を旋回させる。
【００１４】
図３はこの演出の推移を例示するもので、（イ）に示した場面は、始動条件が成立することで大型電子ディスプレイ３に相対する二体のキャラクタの対決画像が表示されると共に該大型電子ディスプレイ３の隅角部に変動表示された３列の図柄のうち左列と右列とが同一図柄（この場合、「７」）にて停止し、中列に関しては未だ変動中である状態（リーチ状態）である。このリーチ状態となったときに、駆動モータ３３の作動により装飾可動体１０が下降し、（ロ）に示したように、該装飾可動体に設けられた小型電子ディスプレイ１１が該大型電子ディスプレイの前面に進出する。該小型電子ディスプレイ１１にはこの停止図柄の近辺の（この場合、「６」）が表示され、（ハ）に至りては該大型電子ディスプレイに二体のキャラクタが小型電子ディスプレイ１１を激しく蹴って、対決をしている表示がなされ、その表示と連動して駆動モータ３３の作動により該小型電子ディスプレイ１１が上下に揺れる。このため二体のキャラクタがあたかも小型電子ディスプレイ１１を揺らしているかのような演出がなされ、その揺れに伴い該小型電子ディスプレイ１１の表示も停止図柄の近辺や停止図柄と同一図柄（この場合、「７」）に変化する。そしてやがて一方のキャラクタがこのバトルに勝利すると、（ニ）に示したように、この小型電子ディスプレイ１１の表示が確定し、その確定図柄が停止図柄と同一図柄であると大型電子ディスプレイ３の中列の変動も同一図柄にて停止し（この場合「７７７」の大当たり表示となり）、上記の大当たりの特典がもたらされ、小型電子ディスプレイ１１の確定図柄が停止図柄と同一図柄でなければハズレ表示となる。このように小型電子ディスプレイ１１を大型電子ディスプレイ３の前面に進出させ、二つの電子ディスプレイの表示を連繋させることで遂力のある斬新な演出が可能になる。
【００１５】
図４に示した演出は、（イ）に示したように、大型電子ディスプレイ３の図柄変動が「７６７」にて停止し、ハズレ表示されたときにも、大当たりのチャンスを再度もたらされるようにするもので、（ロ）に示したように該大型電子ディスプレイ３の前面にその「６」の表示に重なるように小型電子ディスプレイ１１が進出してきて、該小型電子ディスプレイ１１にその「６」の表示がされた後、（ハ）、（ニ）に示したように、該小型電子ディスプレイ１１の表示が「６」から「７」に変化し、両電子ディスプレイにより「７７７」の大当たり表示されることで、大当たりの特典をもたらすものである。この演出では、このように一旦はハズレ表示であったものを小型電子ディスプレイ１１を進出させることにより、そのハズレ表示が大当たり表示に変わることから、遊技者にその大当たりを強く印象させることができる。
【００１６】
また、図５に示した演出は、（イ）に示したように、大型電子ディスプレイ３の図柄変動表示が停止し、間隔を離して「７  ７」と表示されたとき、（ロ）に示したように小型電子ディスプレイ１１がその間隔部分の上部に進出してきて、該小型電子ディスプレイ１１に「７」が表示され、該小型電子ディスプレイ１１を駆動モータ３３の作動により上下に揺らすと同時にその表示「７」が該小型電子ディスプレイ１１上から大型電子ディスプレイ３上に滑り落ちるように見えるように、該小型電子ディスプレイ１１の表示と大型電子ディスプレイ３の表示とを連動させ、（ニ）に示したように大型電子ディスプレイ３に「７７７」の大当たり表示がなされるようにしたものである。このように大型電子ディスプレイ３と小型電子ディスプレイ１１とを併用することにより立体的で斬新な様々な演出をすることができ、遊技の魅力、集客力が増す。
【００１７】
また、大型電子ディスプレイ３に表示される大当たり図柄や停止図柄の一部が小型電子ディスプレイ１１に表示されるようにしたことから、装飾可動体を長時間進出させていても、大型電子ディスプレイ３の表示を邪魔することがなく、表示が見づらくなることもないので、高齢者等の遊技者に遊技が分かり難くなったりするおそれもない。
【産業上の利用可能性】
【００１８】
本発明は、この実施形態に示したパチンコ遊技機の他、パチスロ機、パロット（登録商標）機、スロットマシン等の遊技機にも利用することができる。なお、パロット機とは、パチンコ球を遊技媒体とするパチスロ機の遊技が可能な遊技機である。
【図面の簡単な説明】
【００１９】
【図１】本発明に係る遊技機の遊技盤の正面図。
【図２】本発明に係る遊技機における遊技制御基板のブロック図。
【図３】本発明に係る遊技機における演出の推移図。
【図４】本発明に係る遊技機における演出の推移図。
【図５】本発明に係る遊技機における演出の推移図。
【符号の説明】
【００２０】
１      遊技盤
３      大型電子ディスプレイ
４      始動入賞口
５      大入賞口
６      通過チャッカー
１０    装飾可動体
１１    小型電子ディスプレイ
２０    主制御回路
２２    演出制御回路
２３    画像制御回路
２４    仕掛制御回路
３３    電動アクチュエータ（駆動モータ）
【図１】
2009261813.tif 000003
【図２】
2009261813.tif 000004
【図３】
2009261813.tif 000005
【図４】
2009261813.tif 000006
【図５】
2009261813.tif 000007